(57)【特許請求の範囲】
【請求項１】
上面に上部開口が、また、前面に、前記上部開口の平面と直交し、前記上部開口と連通する前部開口が形成されている上部開放型ボックスと、
前記ボックスに上昇位置と下降位置との間を移動自在に装着されていて、前記上昇位置にあると前記ボックスの前部開口を閉鎖する可動ハッチとからなり、
前記前部開口から隔てた箇所において前記ボックスの何れかの側壁にその一端が枢動自在に連結された枢動レバーと、カム部材とからなる少なくとも一つのカム機構を設け、
前記枢動レバーの他端を前記可動ハッチと係合させ、
前記可動ハッチは前記カム部材に沿って前記上昇及び下降位置との間を移動する、
ことを特徴とする冷蔵庫用貯蔵容器。
【請求項２】
請求項１に記載のものであって、前記可動ハッチが、ハッチ本体と、該ハッチ本体の両端からハッチ本体と直交して延在するアームとからなり、前記可動ハッチの上昇及び下降位置の間での移動を案内する案内手段を各アームごとに設けたことを特徴とする冷蔵庫用貯蔵容器。
【請求項３】
請求項１または２に記載のものであって、前記前部開口の下方において前記ボックスの前壁に取っ手を取り付け、前記可動ハッチの下縁部を前記取っ手の上方に臨ませたことを特徴とする冷蔵庫用貯蔵容器。
【請求項４】
請求項１から３までの何れか一項に記載のものであって、前記ボックスが白色材料で成形され、前記可動ハッチが透明材料で形成されていることを特徴とする冷蔵庫用貯蔵容器。
【請求項５】
請求項１から３までの何れか一項に記載のものであって、前記ボックスの前壁が透明材料で形成されていることを特徴とする冷蔵庫用貯蔵容器。
【請求項６】
請求項１から５までの何れか一項に記載のものであって、前記ボックスの上部開口を確固に閉鎖するために透湿層を有する上蓋を設けたことを特徴とする冷蔵庫用貯蔵容器。
【請求項７】
請求項６に記載のものであって、貯蔵容器が収納されていると前記可動ハッチの下縁部が、前記ボックスの前壁の上縁部とラップすることを特徴とする冷蔵庫用貯蔵容器。
【請求項８】
上面に上部開口が、また、前面に、前記上部開口の平面と直交し、前記上部開口と連通する前部開口が形成され、かつ、冷蔵庫の冷蔵室に配置されて引出し位置と冷蔵室内の後退位置との間を移動させられるようになっていると共に、冷蔵室に対するボックスの移動方向に沿って奥行きを有する上部開放型ボックスと、
前記ボックスに上昇位置と下降位置との間を移動自在に装着されていて、前記上昇位置にあると前記ボックスの前部開口を閉鎖する可動ハッチと、
前記前部開口から隔てた箇所において前記ボックスの何れかの側壁にその一端が枢動自在に連結された枢動レバーと、カム部材とからなる少なくとも一つのカム機構とからなり、
前記冷蔵室には、前記ボックスが後退位置から引出し位置へ引き出されると当該ボックスを支承するエプロンが備わっており、このエプロンの奥行きは前記ボックスの奥行きよりも小さく、
前記枢動レバーの他端は前記可動ハッチと係合しており、また、前記可動ハッチは、前記ボックスの引出し位置への移動及び後退位置への移動に応動してそれぞれ前記上昇位置及び下降位置へ前記カム部材に沿って移動することを特徴とする冷蔵庫用貯蔵容器。
【発明の詳細な説明】
【０００１】
（技術分野）
本発明は概して冷蔵庫に関し、詳述すれば、冷蔵庫の貯蔵容器に関する。
【０００２】
（背景技術）
家庭用冷蔵庫は、内部全体が冷蔵室になっているか、または、冷蔵室と冷凍室とに区画されている箱状ハウジングからなる。この冷蔵庫ハウジングには当該ハウジングの内部と連通する開口が少なくとも一つあるのが通常であり、この開口はヒンジ連結した扉で開閉されるようになっている。設計によっては、この冷蔵庫ハウジングに冷蔵室と冷凍室とにそれぞれ対応させて二つの開口を形成し、それぞれの開口をヒンジ連結した扉で開閉するようにしたものもある。
【０００３】
冷蔵庫が冷蔵機能しかないもの、或いは、冷蔵機能と冷凍機能の両方を有するものの何れにしても、冷蔵室は一つかそれ以上の隔板で、互いに連通する二つかそれ以上のコンパートメントに区画されているのが通常である。この内の一つのコンパートメントは、通常、野菜や果実、或いは鮮度を保つ必要のあるその他の食材を貯蔵する野菜容器ないし貯蔵容器を収納するのに割り当てられている。
【０００４】
例えば１９８６年１月１３日に公開された特開昭６１-６５７９号公報に冷蔵庫用野菜容器が開示されており、これを図６に示す。この公報によれば、貯蔵容器１は上方に開口するほぼ矩形箱の形状を呈していて、ガラスまたは多孔質透湿材からなる剛性上蓋２を備えている。この上蓋は野菜容器に載置してその上部開口を閉塞するようになっている。
【０００５】
前記公報には冷蔵室内において隔板を利用することについてはふれていない。しかし、この公知の野菜容器を、ハウジングの底部上であって、図６においてＰで示した隔板の直下にある専用コンパートメントに収納させると、野菜容器に対する、例えば野菜の出し入れに当たってその野菜容器の前方に得られるアクセス開口の大きさが限られてしまうことが判明した。詳述すれば、野菜容器１に貯蔵してある野菜やその他の食材を取り出す場合、先ずヒンジ連結した扉の方へと野菜容器を引き出した後に上蓋２の前側を持ち上げるが、その時、上蓋２は、該上蓋２の後縁と野菜容器の後壁の上縁との線状接触箇所を中心として枢動させられる。
【０００６】
アクセス開口を形成すべく上蓋２が枢動する範囲は、野菜容器に対する野菜ないしその他の食材の出し入れに野菜容器を開けたときに上蓋２が隔板Ｐの前側と当接するところまでとなっている。このようにアクセス開口の大きさは限られており、従って比較的嵩高の野菜やその他の食材を野菜容器に入れようとすれば、野菜容器を冷蔵庫から取り出さない限り無理である。また、このようにアクセス開口の大きさが限られていることから、野菜容器の内部への視認性が充分でなく、容器内部の中味を確認するのに手間取っている。
【０００７】
従って、本発明は前述の従来公知の貯蔵容器に付随する諸問題点を解消すべくなされたものであって、貯蔵容器の前部でのアクセス開口を大きくして、比較的嵩高の野菜やその他の食材でも貯蔵容器に対して出し入れできる貯蔵容器を提供するのを目的としたものである。
【０００８】
また、前述の型式の貯蔵容器で、内部への視認性がよく、そのために貯蔵容器の中味を確認するのに手間取るようなことのない貯蔵容器を提供することも、本発明の別の重要な目的である。
【０００９】
更に、取り扱いやすく、既存の冷蔵庫に直ちに利用でき、製造コストの低廉な前述型式の貯蔵容器を提供することも、本発明のまた別の重要な目的である。
【００１０】
(発明の開示)
これらの諸目的を達成するために、本発明では、上面に上部開口が、また、前面に、前記上部開口の平面と直交し、前記上部開口と連通する前部開口が形成されている上部開放型ボックスと、前記ボックスに上昇位置と下降位置との間を移動自在に装着されていて、前記上昇位置にあると前記ボックスの前部開口を閉鎖する可動ハッチとからなり、前記前部開口から隔てた箇所において前記ボックスの何れかの側壁に一端が枢動自在に連結された枢動レバーと、カム部材とからなる少なくとも一つのカム機構を設け、前記枢動レバーの他端は前記可動ハッチと係合させ、また、前記可動ハッチは前記カム部材に沿って前記上昇及び下降位置との間を移動するように構成した冷蔵庫用貯蔵容器を提供している。
【００１２】
更に、前記可動ハッチとしては、ハッチ本体と、該ハッチ本体の両端からハッチ本体と直交して延在するアームとで構成し、前記可動ハッチの上昇及び下降位置の間での移動を案内する案内手段を各アームごとに設けるのが望ましい。
【００１３】
何れにしても、本発明による貯蔵容器には、以下の説明から明らかになる如くの特徴と利点を有するものである。
【００１４】
（発明を実施するための最良の形態）
以後、添付図面を参照しながら、そこに示した好ましい実施の形態について、本発明を実施するための最良の形態を詳述する。尚、本発明のこれらの実施の形態を説明するに当たっては、鮮度を保つ必要のある野菜や果実ないしその他の食材を収納する家庭用冷蔵庫の野菜容器に適用したものとして説明するが、当業者には本明細書を読めば、冷蔵庫の内部や外部で利用するか、食品以外のその他の材料を収納するその他の貯蔵容器にも本発明が等しく適用できるのが明らかとなるであろう。
【００１５】
(第１実施の形態)
図１と図２とにおいて、その一部分だけを図１に側断面図で示した冷蔵庫Ｒはほぼ矩形箱形で、冷蔵室１０がその内部に画成されていると共に、冷蔵庫Ｒの長手軸に対して直交する方向に開口する前部アクセス開口を有する。冷蔵庫Ｒのアクセス開口は、ヒンジ連結した冷蔵庫扉１１により選択的に開閉されるようになっている。ここまで説明した限りでの冷蔵庫Ｒは従来公知の構成であってもよいので、便宜上その詳細については説明しないものとする。
【００１６】
冷蔵室１０は、閉位置にある冷蔵庫扉１１と、底部断熱壁１０ａと、該底部断熱壁１０ａに対向する頂部断熱壁(図示せず)と、１０ｂを以て示した一対の側部断熱壁と、冷蔵庫扉１１に対向する後部断熱壁１０ｃとで画成されている。この冷蔵室１０には有効奥行きＤがあり、この有効奥行きＤは、冷蔵庫扉１１に近接する底部断熱壁１０ａの前縁から後部断熱壁１０ｃに近接する底部断熱壁１０ａの後縁までの隔たりで表されている。また、冷蔵室１０には隔板１２が取外し自在、または確固に設けられていると共に、底部断熱壁１０ａの上方に位置決めされて容器室Ｃを形成している。この隔板１２は、冷蔵室１０の有効奥行きＤよりもその奥行きが小さいものとなっており、格子棚ないしグリル棚、または、ガラスないし適当な合成樹脂製の剛性板部材であってもよい。
【００１７】
野菜容器１３はほぼ矩形箱状で上部が開口したボックス１４からなり、このボックス１４は、ほぼ矩形の一対の側壁１４ａとほぼ矩形の前壁１４ｂと、ほぼ矩形の後壁１４ｃと、底壁１４ｄとを、図２に明確に示すように当該ボックス１４が底壁１４ｄから離間する方向で上方に開口する形となるように組み立ててなるものである。必ずしも必須ではないが、図示の野菜容器１３にはほぼ矩形の上蓋１５が取外し自在に付属していて、後述のように上方開口型ボックス１４の上部開口を閉塞するようになっている。
【００１８】
上方開口型ボックス１４を形成する全ての壁１４ａ〜１４ｄは、合成樹脂、より好ましくは白色ないし不透明プラスチック材で成形されているのが望ましく、従来公知のプラスチック成形法でこれらの壁１４ａ〜１４ｄからなるボックス１４を形成することができる。本発明の好ましい実施の形態では、前壁１４ｂはボックス１４とは別部材であって、底壁１４ｄと一体化されている一対の平行な立上がり堰１４ｅの間の隙間に当該底壁１４ｄと直交するように確固に差し込まれて接着してある。一方の立上がり堰１４ｅ、即ち、前部立上がり堰には取っ手１６が一体成形されており、冷蔵庫扉１１が開いているときにユーザがアクセス開口に対して野菜容器を押し込んだり、引き出したりする際に容易に掴めるように、この取っ手は冷蔵庫扉１１の方へと前方に張り出している。
【００１９】
尚、冷蔵庫Ｒの長手方向に沿う前壁１４ｂの高さは、図２に示したように完成状態にあるとボックス１４の前部アクセス開口ＡＯがその上部開口と連通すると共に、後壁１４ｃとは反対方向に開口するように、後壁１４ｃの高さより低くなるようにしてある。後述の説明から明らかになるように、前部アクセス開口ＡＯは、好ましくは透明プラスチック材で成形した、ほぼ水平に延在する可動ハッチ１７により選択的に開閉されるようになっている。
【００２０】
可動ハッチ１７は、ボックスに対して上下動する、即ち、上昇位置と下降位置との間を移動自在で、それに伴ってボックス１４の前部アクセス開口ＡＯを閉じたり、開けたりするようになっている。この可動ハッチ１７は、ほぼ矩形のハッチ本体１７ａと、ハッチ本体１７ａに対して直交延在するように該ハッチ本体１７ａの両端と一体形成したアーム１７ｂとからなる。図２に明確に示したように、可動ハッチ１７の各アーム１７ｂの内表面には、ハッチ本体１７ａの長手軸芯と直交する方向に延在する案内溝１７ｃが形成されている。
【００２１】
ボックス１４の各側壁１４ａの前部外表面には、当該前部外表面から側方に突出する案内突起１８が形成されており、前記可動ハッチ１７は、この案内突起１８が前記案内溝１７ｃに嵌合した状態で前記ボックス１４に装着してある。従って、可動ハッチ１７が上昇位置と下降位置との間を移動しているときには、ボックス１４の側壁１４ａと一体化されている案内突起１８は対応する案内溝１７ｃないを案内されて移動するのは明らかである。尚、前述のハッチ本体１７ａの高さとしては、可動ハッチ１７が図１に示すように上昇位置にあると、ハッチ本体１７ａの下縁１７ｄがボックス１４の前壁１４ｂの上縁１４ｆに乗りかかることなく、当該上縁１４ｆと重なり合う程度に選ばれており、そのようにすることで、可動ハッチ１７を図２に示すように下降位置へ移動させる際に、案内突起１８が対応する案内溝１７ｃに沿って案内された状態でハッチ本体１７ａが前壁１４ｂに沿って下方に移動できるようにしている。
【００２２】
尚、ハッチ本体１７ａの下縁１７ｄとボックス１４の前壁１４ｂの上縁１４ｆとを重ならせることは、完成状態にあって可動ハッチ１７が上昇位置に保持されているときに密封作用が得られて、食材の鮮度を保ちならら貯蔵することができる利点がある。
【００２３】
可動ハッチ１７が下降位置にあれば、ハッチ本体１７ａの下縁１７ｄは前部立上がり堰１４ｅの上縁１４ｇに乗り掛かる一方、ハッチ本体１７ａの下縁１７ｄとは反対側の上縁は、ボックス１４の前壁１４ｂの上縁１４ｆと同一高さのレベルに臨んでいるか、または、僅かだけ下方に臨んでいる。本発明の別の好ましい実施の形態としては、ボックス１４の前壁１４ｂはボックス１４それ自体と一体形成されたものであってもよく、その場合、一本かそれ以上の幅方向に延在するステーを前壁１４ｂに固着するか、または一体形成して、可動ハッチ１７の下降位置を定めるようにしてもよい。
【００２４】
上昇位置と下降位置との間での可動ハッチ１７の移動は、引出し位置と後退位置との間での野菜容器１３の移動に応動して自動的に行われる。詳述すれば、野菜容器１３を冷蔵庫扉に向かって引出し位置へと前方に引き出すと、可動ハッチ１７は下降位置へ移動するが、反対に野菜容器１３を後部断熱壁１０ｃに向かって後退位置へと押し込むと、図１に示したように可動ハッチ１７は上昇位置へ移動する。このために、野菜容器１３の引出し移動と押込み移動とを可動ハッチ１７の下降運動と上昇運動とにそれぞれ変換する少なくとも一つのカム機構を用いており、このカム機構を野菜容器１３の片側に設けている。
【００２５】
図１と図２に示した実施の形態で用いているカム機構は、ボックス１４の外方の配置され、かつ、何れかの側壁１４ａに連結されていると共に、ボックス１４の後壁１４ｃ近傍において当該側壁１４ａの一部に固着した枢支ピン２０を中心として枢動する枢動レバー１９からなる。枢支ピン２０とは隔てた枢動レバー１９の一端部にはスロット１９ａが、当該端部の内側に延在するよう形成されている。この枢動レバー１９は、可動ハッチのアーム１７ｂと一体形成した係合ピン２１が前記枢動レバー１９におけるスロット１９ａ内に遊動自在に係合することにより、可動ハッチ１７と協働すべく連結されている。
【００２６】
前述のカム機構は、枢動レバー１９と一体形成されて、当該枢動レバー１９の下部側縁から側方外側かつ下方に突延する概して三角形状のカム用踵部１９ｂと、冷蔵室１０を画成する断熱側壁であって、カム用踵部１９ｂと対峙する断熱側壁に固着したカム板２２とを備えている。カム板２２にはカム縁２２ａがあって、このカム縁２２ａに、図１において点線で示したようにカム用踵部１９ｂが乗り掛かっている。このカム縁２２ａは、野菜容器１３が引出し位置へ引き出されるか、または後退位置へ押し込まれるに伴って、カム縁２２ａに乗り掛かったカム用踵部１９ｂを有する枢動レバー１９が枢支ピン２０を中心として反時計方向、または時計方向に枢動し、それに伴って可動ハッチが下方、または上方に移動することができるように、その形状が定められている。
【００２７】
このように、図示の実施の形態で用いているカム機構は、野菜容器１３が図１に示したように後退位置にある限り、カム用踵部１９ｂはカム縁２２ａの頂部に乗り掛かり、この時枢動レバー１９は、ピン２１がスロット１９ａ内に係合していることから可動ハッチ１７を上昇位置に保持している。しかし、この野菜容器１３が引出し位置へと引き出されると、カム用踵部１９ｂはカム縁２２ａに摺接しながら下方に降りる一方、同時に枢動レバー１９を反時計方向へ摺動させ、かくて可動ハッチ１７を下降位置へと下方に移動させるように構成されているのである。
【００２８】
野菜容器１３が後退位置にあっても当該野菜容器１３の収納物が容易に見られるようにするためには、ボックス１４の少なくとも前壁１４ｂと少なくともハッチ本体１７ａとを透明合成樹脂で成形するのが望ましい。また、ボックス１４は、その前壁１４ｂ以外を白色合成樹脂で成形しておけば、ボックス１４の側壁１４ａと冷蔵室１０の断熱側壁１０ｂとの間に介在する案内溝１７ｃと案内突起１８ばかりではなくて、同じくボックス１４の側壁１４ａと冷蔵室１０の断熱側壁１０ｂとの間に介在するカム機構とそれに関連する構成部品をもユーザの視野から隠すことができる。少なくとも可動ハッチ１７に透明材を用いて中味を見やすくしたことから、野菜容器１３を必要以上頻繁に開けるようなことを最小限にするのに役立っており、それにより食材を鮮度よく、かつ、清潔に保存することができる。
【００２９】
また、現在市販されている大抵の冷蔵庫に使われている冷蔵庫扉１１には複数のトレーないし棚が設けられているが、その一つとして卵、缶ビール、バターケースなどを収納するトレーを図１において１１ａを以て示す。この扉トレー１１ａは冷蔵室１０へと張り出していることから、取っ手１６の先端から閉位置にある冷蔵庫扉１１の内表面まで奥行きＡを確保する必要がある。この奥行きＡとしては、野菜容器１３が後退位置にあるときでの当該野菜容器１３の奥行きＢ(取っ手１６の先端からボックス１４の後壁１４ｃまでの距離)よりも小さいのが望ましい。言うまでもないことではあるが、冷蔵庫扉１１を開けていると、扉トレー１１ａは奥行きＡで示されるスペースが空くことになり、従って、野菜容器１３に対する食材の出し入れに際して当該野菜容器１３をそのエプロンへと引き出すことができる。
【００３０】
図５において、ボックス１４の上部開口、ひいては野菜容器１３を閉じる上蓋１５は、同図にあっては概略的に図示しているが、これを野菜容器１３の上部に被せた状態にあってはボックス１４の壁１４ａ、１４ｃのそれぞれの頂縁とハッチ本体１７ａの頂縁とにぴったりと接触するように形成した四辺部を有している。この上蓋１５の一部分には透湿層１５ａを載置収容するために開口があってもよく、或いは前記した特開昭６１-６５７９に開示されている如くの透湿性多孔質材を有する構造であってもよい。何れにしても、上蓋１５に透湿性材料層を設ければ、野菜容器１３内の野菜や果実などが呼吸できることになり、従って当該野菜や果実などを長期にわたって新鮮かつ清潔に保つことができる。
【００３１】
本発明を実施した野菜容器１３は下記の如く利用される。
今、図１に示すように野菜容器１３が後退位置にあって、冷蔵庫扉１１が閉位置にあるとして、野菜を野菜容器１３に対して出し入れしようとしているユーザは、先ず冷蔵庫扉１１を開け、取っ手１６を掴みながら野菜容器１３を後退位置から引出し位置へと引き出す。このように野菜容器１３が引出し位置へ引き出されるにつれて、枢動レバー１９は枢支ピン２０を中心として反時計方向に回動し始め、同時にカム用踵部１９ｂはカム縁２２ａに沿って下方に摺動する。このように枢動レバー１９が反時計方向に回動すると、アーム１７ｂと一体化され、枢動レバー１９のスロット１９ａに捕捉されている係合ピン２１が下方に引き下ろされ、それに伴って案内突起１８が案内溝１７ｃに沿って案内された状態で可動ハッチ１７が上昇位置から下降位置へと移動する。枢動レバー１９の反時計方向への回動は、可動ハッチ１７が下降位置に達して、図２に示すように野菜容器１３の前部アクセス開口ＡＯを完全に開けるまで続く。
【００３２】
従って、本発明による野菜容器１３にあっては、野菜容器１３に対する野菜類の出し入れの際に得られる野菜容器１３の前方のアクセス開口は、図６に示して説明した従来公知の野菜容器において得られるアクセス開口よりは広いものである。特に、野菜容器１３の前方で得られるアクセス開口は、上蓋１５が隔板１２の前縁と当接するまで開けられたときに得られる開口の広さと、可動ハッチ１７が開くことにより得られる前部アクセス開口ＡＯによる開口の広さとの和に対応する。従って、野菜容器１３が奥行きＡで表されるエプロン上に臨む引出し位置にあれば、比較的嵩高の野菜やその他の食材などでも野菜容器１３に対して出し入れできるのである。
【００３３】
引出し位置にある野菜容器１３を後退位置へと押し込めば、枢動レバー１９は前述したのとほぼ逆の動きをする。即ち、野菜容器１３が後退位置へと押し込まれるに従って、カム用踵部１９ｂがカム縁２２ａに沿ってその頂部へと摺接しながらのぼるが、その時枢動レバー１９は枢支ピン２０を中心に時計方向に枢動する。それに伴って可動ハッチ１７は下降位置から上昇位置へと移動し、かくて前部アクセス開口ＡＯが可動ハッチ１７により閉ざされるようになる。
【００３４】
可動ハッチ１７が下降位置にあると、取っ手１６と、ハッチ本体１７ａの下縁１７ｄに近傍部分との間に充分なスペースが確保できるから、取っ手を掴んでいるユーザの手が可動ハッチ１７の動きを妨げたり、それにより傷を負うようなことはない。このためにも、可動ハッチ１７の下縁１７ｄが前部立上がり堰１４ｅと当接する当該可動ハッチ１７の下降位置は、取っ手１６から上方に充分な距離だけ隔てたところに臨むように定めている。
【００３５】
前述した本発明の好ましい実施の形態では、野菜容器１３の片側だけにカム機構を設けたものとして説明したが、同一構成のカム機構を野菜容器１３の両側に設けてもよく、これは野菜容器１３の幅が相当である場合に特に有用である。
【００３６】
また、可動ハッチ１７のアーム１７ｂに形成したものとして説明した案内溝１７ｃは、野菜容器１３の対応する側壁１４ａに形成してもよく、その場合では案内突起１８はアーム１７ｂに形成することになる。
【００３７】
図３と図４とに示す本発明の別の好ましい実施の形態では、簡素化したカム機構を用いている。図３と図４とにおいて、カム機構は、可動ハッチ１７のアーム１７ｂの自由端の下隅部に形成したカム用踵部１７ｋからなる。このカム用踵部１７ｋは、野菜容器１３が冷蔵室１０内の後退位置にあれば、図３において点線で示すようにカム板２２のカム縁２２ａの頂部に乗り掛かっている。
【００３８】
前述の実施の形態においては可動ハッチ１７のアーム１７ｂの内表面に形成したものとして説明したカム溝１７ｃは、図３と図４に示した実施の形態では野菜容器１３の側壁１４ａの外表面に形成されており、それに伴い、そのカム溝１７ｃに係合する案内突起１８が、側壁１４ａに向かって延在するように可動ハッチ１７のアーム１７ｂに形成されている。
【００３９】
図３と図４に示した実施の形態であっても、同一構成のカム機構を野菜容器１３の両側に設けることもできる。
【００４０】
このように、後退位置にある野菜容器１３が引出し位置へと前方に引き出されると、カム用踵部１７ｋがカム縁２２ａに沿ってそれと摺接しながら下方へ移動し、そのために可動ハッチ１７が下降位置へと下方に移動させられる。逆に、引出し位置にある野菜容器１３が後退位置へと押し込まれると、カム用踵部１７ｋはカム縁２２ａに沿ってそれと摺接しながら上方へ移動し、そのために可動ハッチ１７が上昇位置へと上方に移動させられる。
【００４１】
本発明の別の実施の形態によるカム機構を利用した野菜容器１３は、本発明の前述の実施の形態によるカム機構を利用したそれに比べて製造コストが低廉で、構造が簡単である利点を有している。
【００４２】
以上、添付図面を参照しながら好ましい実施の形態について本発明を詳述したが、当業者には種々の変形例や改変などが容易に想到されるところである。このような変形例や改変も、それらが本発明の範囲から逸脱しない限り、本発明の範囲に含まれるものと解すべきである。
【図面の簡単な説明】
【図１】  本発明の第１実施の形態による野菜容器が冷蔵庫内に収納されているところを示す冷蔵庫の一部分の側断面図。
【図２】  図１に示した野菜容器の概略斜視図。
【図３】  本発明の第２実施の形態による野菜容器が冷蔵庫内に収納されているところを示す冷蔵庫の一部分の側断面図。
【図４】  図３に示した野菜容器の概略斜視図。
【図５】  本発明の第１及び第２実施の形態による野菜容器に利用する上蓋の概略斜視図。
【図６】  冷蔵庫に収容されている従来公知の野菜容器を示す冷蔵庫の一部分の側断面図。
【符号の説明】
１０…冷蔵室                    １１…冷蔵庫扉
１２…隔板                      １３…野菜容器
１４…上部開放型ボックス        １６…取っ手
１７…可動ハッチ                １８…案内突起
１９…枢動レバー                ２０…枢支ピン
２１…係合ピン                  ２２…カム板
【図１】
0004382278.tif 000002
【図２】
0004382278.tif 000003
【図３】
0004382278.tif 000004
【図４】
0004382278.tif 000005
【図５】
0004382278.tif 000006
【図６】
0004382278.tif 000007